(57)【要約】【課題】  所定トラック幅の第１、第２のサーボトラックが交互に配置されて形成され、該サーボトラックの長手方向に間欠的に各々記録したバースト信号Ａ，Ｂを跨いで再生し、該各再生信号の差に基づいてトラッキングサーボ制御を行う装置において、狭トラックピッチ化に対して十分なＳ／Ｎ比を得てサーボ制御性能を高めるとともに、複数世代のリニアテープに対して互換性を確保する。【解決手段】  幅方向中間位置が、前記第１のサーボトラックおよび第２のサーボトラックの境界線と対向するように第１のサーボリードヘッドＳ１を配設し、前記サーボリードヘッドＳ１からＡバースト側に、例えば１／２トラックピッチ分だけずれて第２のサーボリードヘッドＳ２を配設する。バーストＡ，Ｂの差信号のリニアリティの良い部分の信号を使用するように図示（１）、（８），（３），（１０），（５）の順にサーボリードヘッドＳ１，Ｓ２を切り換える。【選択図】  図１
2006221729.tif 000002
【特許請求の範囲】
【請求項１】
磁気テープ長手方向に沿う複数のサーボトラックを有したサーボバンドと、磁気テープ長手方向に沿う複数の記録トラックを有したデータバンドとを、テープ幅方向に交互に形成したリニアテープを用いるリニアテープドライブ装置において、
前記複数のサーボトラックは、前記テープ幅方向の所定距離をトラック幅とする第１のサーボトラックと第２のサーボトラックとが交互に配置されて形成され、前記第１および第２のサーボトラックのテープ長手方向に間欠的に各々記録された第１および第２のサーボ信号をまたいで再生し、該各再生信号の差に基づいてトラッキングサーボ制御を行うリニアテープドライブ装置であって、
幅方向中間位置が、前記第１のサーボトラックおよび第２のサーボトラックの境界線と対向するように配設された第１のサーボヘッドと、
前記第１のサーボヘッドからテープ幅方向に、トラック幅の正数分の１の距離ずれて配設された単数又は複数の第２のサーボヘッドと
を備えたことを特徴とするリニアテープドライブ装置。
【請求項２】
前記第１のサーボヘッドは、所定のデータバンドを挟む上、下両側のサーボバンド各々に、各幅方向中間位置が、前記第１のサーボトラックおよび第２のサーボトラックの境界線と各々対向するように配設され、
前記第２のサーボヘッドは、前記第１のサーボヘッドから、当該上、下両側のサーボバンドが挟むデータバンド側に各々ずれて配設されていることを特徴とする請求項１に記載のリニアテープドライブ装置。
【請求項３】
前記第１および第２のサーボヘッドのうち、前記第１および第２のサーボ信号の差信号の直線性が良好である側のサーボヘッドに切り換えてトラッキング制御を行うことを特徴とする請求項１に記載のリニアテープドライブ装置。
【請求項４】
前記第１および第２のサーボヘッドのうち、前記第１および第２のサーボ信号の差信号の直線性が良好である側のサーボヘッドに切り換えてトラッキング制御を行うことを特徴とする請求項２に記載のリニアテープドライブ装置。
【発明の詳細な説明】
【技術分野】
【０００１】
本発明は、磁気テープ長手方向に沿う複数のサーボトラックを有したサーボバンドと、磁気テープ長手方向に沿う複数の記録トラックを有したデータバンドとを、テープ幅方向に交互に形成したリニアテープを用いるリニアテープドライブ装置に関する。
【背景技術】
【０００２】
リニアテープの製品で代表的なLTO(リニア  テープ  オープン) ドライブでは、トラッキングの位置制御用にマルチデータヘッドの両脇を挟みこむようにサーボヘッドが配置されている。これは片側のサーボヘッドからデータヘッドの一番遠いチャネルまでが2700μm程度あり、テープの温湿度変化が1200ppm程度であることを考えると、最悪3.2μmのトラックズレが発生してしまうことになる。
【０００３】
この影響を低減するために、マルチデータヘッドの両脇にサーボヘッドを配置し、両側の２個のサーボヘッドでバランスが取れるようにサーボ制御をすることで、テープの温湿度変化の影響を半分にすることが可能となっている。
【０００４】
図４は、前述したリニアテープと、リニアテープドライブ装置のマルチチャンネルによる磁気ヘッド部との関係を表しており、磁気テープＴには、テープ長手方向に沿う、複数のサーボトラックを有したサーボバンドＳＢと、複数の記録トラックを有したデータバンドＤＢとが、テープ幅方向に交互に形成されている。
【０００５】
サーボバンドＳＢには、トラッキングサーボ用のサーボデータが、サーボトラックライター（ＳＴＷ）と呼ばれるサーボパターン書き込み装置により予め工場にて書き込まれ、ユーザーに出荷される。１は、磁気テープＴに対向配設されて、記録、再生を行う、複数の磁気ヘッド素子が配列されたマルチチャンネルによる磁気ヘッド部である。
【０００６】
図５は、磁気ヘッド部１の、磁気テープＴに対向する面の構成の一例を示し、１つのデータバンドＤＢとそれを挟む上、下のサーボバンドに各々対向配設される部分のみの磁気ヘッドの配列を表している。
【０００７】
磁気ヘッド部１には、それぞれ磁気ヘッド素子が配列された第１および第２の磁気ヘッドスタック部１１、１２が並置されている。第１および第２の磁気ヘッドスタック部１１、１２のデータバンドに対向する部位には、各トラックのセンターをＣＴ１、ＣＴ２、ＣＴ３…で示した各トラック上に、記録磁気ヘッド素子１Ｗと再生磁気ヘッド素子１Ｐとが、所定の磁気ギャップを保持して直線的に配列されている。１Ｓはサーボバンドに対向する位置に配されるサーボ信号再生磁気ヘッド素子である。
【０００８】
例えば磁気テープ走行の往路においては、第１のスタック部１１における各記録磁気ヘッド素子１Ｗによってデータ信号記録がなされ、この記録を各磁気ヘッド素子１Ｗと並置された他方の第２のスタック部１２における再生磁気ヘッド素子１Ｐによって再生し、例えば記録状態のモニター等がなされる。
【０００９】
また例えば磁気テープ走行の復路においては、第２のスタック部１２における各記録磁気ヘッド素子１Ｗによってデータ信号記録がなされ、この記録を、第１のスタック部１１における再生磁気ヘッド素子１Ｐによって再生する。
【００１０】
これら記録・再生における磁気ヘッド素子のデータトラックに対するトラッキングは、対象とするデータバンドＤＢを挟んでその両側に配置されたサーボバンドに記録されたヘッド位置制御用サーボデータ信号の読み出しによってなされる。
【００１１】
またLTOドライブでは位相差を検出してトラック位置情報を検出するタイミング基準サーボ方式（Timing Based Servo方式）を使用しており、ハの字形状のパターンをテープ上にサーボ信号として書き込んでいる。この方式のメリットとしては６°の傾きを持つ直線上の信号をサーボバンド一杯に書くため、トラックピッチを無段階的に可変することが可能となり、世代互換性を考慮した場合の自由度を大きく取ることが出来る。またその為にサーボ信号を書き込むサーボパターン書き込み装置のサーボトラックライター（STW)の設備投資を世代交代毎に行わなくてもすむという点などが挙げられる。
【００１２】
しかしながら、位相差検出のために時間軸分解能の要求が厳しく、例えば下記特許文献１に記載のように、基準クロック周波数を出来るだけ上げずにすむように多相クロック化するなど、対応に苦慮している。
【００１３】
今後益々データ転送レートを上げるためにテープスピードなどが上がると、位相検出用の基準クロックが1GHzオーダーになってしまい、クロックの配線遅延(Skew)やアプリケーションスペシフェックインテグレーテッドサーキット（ＡＳＩＣ；ユーザーが設計できるＩＣ；特定用途向け集積回路）の処理能力の限界に直面しており、今後の分解能向上は見込めないのが実状である。
【００１４】
またクロックの高速化によるICの発熱化の問題も懸念され、冷却機構の追加に伴うコストアップ、ドライブサイズの大型化など副次的な問題も抱えることになる。
【特許文献１】特開２０００−１２３３３５号公報
【発明の開示】
【発明が解決しようとする課題】
【００１５】
別の代表的なサーボ方式としては、上記のLTOに代表されるタイミング基準サーボ方式に対してHDDなどで古くから使用され、リニアテープフォーマットでも9840,9940等に使用されている振幅基準サーボ方式（Amplitude Based Servo方式）がある。
【００１６】
これは例えば図６に示すように、市松模様状に配したサーボ信号を検出し、隣り合うサーボ信号の信号差からトラック位置情報を検出する方法である。図６（ａ）は１つのサーボバンドに形成された複数のサーボトラックの一部を表しており、例えばトラック幅（トラックピッチ）が１０ミクロンの第１のサーボトラックと第２のサーボトラックとがテープ幅方向に交互に複数本形成されている。
【００１７】
第１のサーボトラックのテープ長手方向には、間欠的にバーストＡなるバースト信号が形成され、第１のサーボトラックに隣接する第２のサーボトラックのテープ長手方向には、間欠的にバーストＢなるバースト信号が形成されている（尚図６（ａ）では各々１個のバーストＡ、１個のバーストＢのみを図示しているが、これら各バーストＡ、Ｂはテープ長手方向に間欠的に複数個形成され、サーボパターンを形成しているものである）。
【００１８】
そして、この２つのバースト信号（Ａ、Ｂ）を跨ぐようにサーボリードヘッド（サーボ信号再生用磁気ヘッド；例えば図５のサーボ信号再生磁気ヘッド素子１Ｓ）が各バースト信号を再生する（尚図６（ｂ）はサーボリードヘッドの再生信号レベルの推移を示している）。
【００１９】
この時に、バーストＡの再生信号レベルとバーストＢの再生信号レベルの差分（Ａ−Ｂ）を比較し（偏差をとり）、差分が０になるところ（図中の（１）、（３）、（５）の部位）をトラックセンターとするものである。逆に言えば、常にこの差分（Ａ−Ｂ）が０になるようにヘッドアクチュエーターがサーボをかけ、オフトラックしないようにフィードバック制御するものである。この一連の動作をトラックフォローイングとも呼ぶ。
【００２０】
尚前記バーストＡ、Ｂの部分は、無信号部分に信号を書いても、また逆にサーボバンド内に一様に書かれたトーン信号を消す形で形成しても、どちらでも構わない。
【００２１】
一般に、アジマス（斜め）記録を行わないリニアテープ用のサーボリードヘッドの幅(Width-R)は、バーストＡ、Ｂの幅(Width-A,B)に対して若干狭く設計されている。それはもし製造バラツキなどでWidth-RがWidth-A,Bよりも大きくなってしまった場合に、隣接する二つのバーストＡ(もしくはバーストＢ)を同時に読んでしまい、出力の差分比較を正常に行う事が出来なくなるためである。
【００２２】
しかし反対にWidth-RがWidth-A,Bに対して狭い場合は、図示（２）、（４）の範囲のように位置検出信号としては不感地帯が発生することになる。
【００２３】
すなわち、単純な２バーストを使用した振幅比較ではゲインリニアリティが丁度釣り合う範囲では良いが、どちらかに大きくずれて片側のバースト信号が最小になる範囲で悪くなる欠点を持っている。これはバーストの書き込み幅に対して隣接バーストのクロストークを避けるためにリード幅が多少小さめに設計されるために起きる。
【００２４】
そのため、この不感地帯に入ってしまった場合は図示（１）もしくは（３）の範囲に戻るように、どちらかの方向に強制的に動かしてやる必要がある。この図示（２）、（４）のような不感地帯は出来るだけないのが良いわけだが、もしないとしても三角形の頂点付近は、図示（１）と（３）の境界になり、いずれにせよサーボにとっては扱いづらい範囲であり、同様の制御が求められることになる。
【００２５】
さて、図６で表したサーボリードヘッド１Ｓとサーボパターンにおいて、トラックピッチを更に狭くした次世代機を考えた場合、バーストＡ、Ｂの幅Width-A,Bを狭くし、同様にサーボリードヘッド１Ｓの幅Width-Rも狭くしていく必要がある。
【００２６】
そして、データストレージデバイスの市場要求慣習としては最低でも１世代前のものとの下位互換性を持つ必要があるため、この下位互換性を考えた場合、市松模様形状の振幅基準サーボパターン（Amplitude Based Servo Pattern）はトラックピッチを1/2,1/4と二の倍数分の一に狭くしていく必要がある。
【００２７】
またその場合サーボパターン書き込み装置のサーボトラックライターではWidth-A,Bをより狭く正確に書き込む必要があり、サイドフリンギング（Side Fringing；もれ、にじみ）の影響などもあり、狭くなればなるほど、サーボトラックライター用ヘッドの精度を向上させるのが困難になっていく。
【００２８】
また仮に前記精度を向上させたサーボトラックライター用ヘッドを製作したとしても、コスト的にかなり高額なものになり、メディア製造コストを大きく圧迫する要因となる。
【００２９】
そしてそれに応じたWidth-Rも狭くしなければならず、狭幅化から再生出力も下がり、サーボ制御の分解能とも言える信号再生出力のＳ／Ｎ比（振幅比較をする際のＳ／Ｎ比）が下がることになる。これらが今後更に高ＴＰＩ（トラックピッチ／インチ）化を進めて行くに際しての振幅基準サーボ（Amplitude Based Servo）の課題であった。
【００３０】
一方ＬＴＯに代表されるタイミング基準サーボのパターン（Timing Based Servo Pattern）がトラックピッチをいきなり２倍に上げずに、同じサーボパターンを使用しながらも１．３倍等の任意のトラックピッチを選択することができるのは大きな利点であるが、しかしタイミング基準サーボ方式も時間分解能の制約からＩＢＭ社が予定しているＬＴＯの第４世代レベルが限界とされている。
【００３１】
本発明は上記の点に鑑みてなされたものでその目的は、狭トラックピッチ化に対して十分なＳ／Ｎ比を得てサーボ制御性能を高めるとともに、トラックピッチの異なる複数世代のリニアテープに対する互換性を確保したリニアテープドライブ装置を提供することにある。
【課題を解決するための手段】
【００３２】
上記課題を解決するための本発明のリニアテープドライブ装置は、磁気テープ長手方向に沿う複数のサーボトラックを有したサーボバンドと、磁気テープ長手方向に沿う複数の記録トラックを有したデータバンドとを、テープ幅方向に交互に形成したリニアテープを用いるリニアテープドライブ装置において、前記複数のサーボトラックは、前記テープ幅方向の所定距離をトラック幅とする第１のサーボトラックと第２のサーボトラックとが交互に配置されて形成され、前記第１および第２のサーボトラックのテープ長手方向に間欠的に各々記録された第１および第２のサーボ信号をまたいで再生し、該各再生信号の差に基づいてトラッキングサーボ制御を行うリニアテープドライブ装置であって、幅方向中間位置が、前記第１のサーボトラックおよび第２のサーボトラックの境界線と対向するように配設された第１のサーボヘッドと、前記第１のサーボヘッドからテープ幅方向に、トラック幅の正数分の１の距離ずれて配設された単数又は複数の第２のサーボヘッドとを備えたことを特徴としている。
【００３３】
また前記第１のサーボヘッドは、所定のデータバンドを挟む上、下両側のサーボバンド各々に、各幅方向中間位置が、前記第１のサーボトラックおよび第２のサーボトラックの境界線と各々対向するように配設され、前記第２のサーボヘッドは、前記第１のサーボヘッドから、当該上、下両側のサーボバンドが挟むデータバンド側に各々ずれて配設されていることを特徴としている。
【００３４】
すなわち例えば前記第２のサーボヘッドを、前記データバンドを挟む上側のサーボバンドにおいては第１のサーボヘッドから第２のサーボトラック側にずれて配設し、前記データバンドを挟む下側のサーボバンドにおいては第１のサーボヘッドから第１のサーボトラック側にずれて配設するものである。
【００３５】
また本発明のリニアテープドライブ装置は、前記第１および第２のサーボヘッドのうち、前記第１および第２のサーボ信号の差信号の直線性が良好である側のサーボヘッドに切り換えてトラッキング制御を行うことを特徴としている。
【００３６】
本発明のリニアテープドライブ装置の、より具体的な特徴は、
（１）メディアに書き込まれるサーボパターンを変えずに、サーボヘッド側にトラックピッチの数分の一程度の所定距離を離して複数サーボヘッドを持つ構造とした。
（２）１つのサーボバンドにかかるサーボヘッドの数が複数個ある構造とした。
（３）トラックピッチが狭くなってもサーボパターン及びサーボリードヘッドの再生幅を狭くしなくても良い構成とし、これによってサーボ信号のS/Nを下げずに高精度のサーボ制御を可能とした。
（４）１サーボバンド（１サーボヘッド）のみ使用するサーボヘッドでも、２サーボバンド（２サーボヘッド）を使用するどちらの方法でも可能な構造とした。
（５）２サーボバンドを使用する場合では、反対側のサーボヘッドの位置をずらすことによって片側に複数サーボヘッドを持たせるのと同じ働きを持たせた構造とした。
（６）片側のマルチサーボヘッドを切り替えて使用することにより、サーボチャネルの増加分の信号線に対応できる構成とした。
（７）サーボの制御信号となる出力比較の差分量のリニアリティの良い部分だけをマルチサーボヘッドで切り替えて使用する構成とした。
【発明の効果】
【００３７】
（１）請求項１〜４に記載の発明によれば、使用するリニアテープのトラックピッチが変更されても（例えば狭くなっても）第１および第２のサーボトラックに間欠的に記録するサーボ信号パターン及びサーボ信号再生用の磁気ヘッドの再生幅を変更しなくても良い。
【００３８】
すなわち、第１のサーボヘッドの幅方向中間位置は、所定トラック幅の第１および第２のサーボトラックの境界線と合致するよう配設されているので、（所定のトラックピッチの世代のリニアテープを使用する場合）、第１のサーボヘッドで再生した信号の差に基づいてトラッキング制御がなされる。そして第２のサーボヘッドは、第１のサーボヘッドからテープ幅方向に、トラック幅の正数分の１、例えば１／２の距離ずれて配設しているので、例えば世代交代によりサーボトラックのトラックピッチが例えば１／２に狭くなった場合、第１のサーボヘッドの幅方向中間位置は第１および第２のサーボトラックの境界線と合致し、且つ、第２のサーボヘッドの幅方向中間位置は、第１、第２のサーボトラックのうち、第１のサーボヘッドからずれている側のトラックのセンターに対向する配置となる。
【００３９】
このためサーボ信号パターンおよびサーボヘッドの再生幅を変更することなく前記第１のサーボヘッドの再生信号の差と、第２のサーボヘッドの再生信号の差とに基づいてトラッキング制御を行うことができる。これによって、十分なトラックフォローイング性能及びトラックピッチの異なる複数の世代の磁気テープに対する互換性を確保することができる。
【００４０】
すなわち、
（１−１）サーボ再生用磁気ヘッドの再生幅を狭くしなくてすむため、振幅基準（アンプリチュードベース）サーボ方式のサーボ信号の振幅比較をする際のＳ／Ｎ比を十分に確保することができ、サーボ制御性能を上げることが可能である。
【００４１】
（１−２）オリジナルのサーボパターンのままで第２世代、第３世代の下位互換性を確保できる。
【００４２】
（１−３）前記のようにオリジナルのサーボパターンのままで数世代可能なため、サーボパターン書き込み装置の投資を激減することができる。
【００４３】
（１−４）サーボパターン書き込み装置のサーボトラックライター用ヘッドのトラックピッチをオリジナルよりも狭くする必要がないため、サーボトラックライター用ヘッドのコストを下げることができる。また数世代に渡る長期間使用可能なため設計開発費を十分に回収することが可能となる。
【００４４】
（１−５）サーボトラックライター用ヘッドの定期的交換にかかるランニングコストを下げることができる。
【００４５】
（１−６）第１のサーボヘッドと第２のサーボヘッド間の配設距離（ずれ距離）をトラック幅の正数分の１の任意距離に設定することにより、次世代を、トラックピッチ／インチ的に倍密度にしなくてもすむために、フォーマット全体の設計自由度が大きくなる。
（２）また請求項２に記載の発明によれば、データバンドを挟む上、下両側のサーボバンドにおける第２のサーボヘッドの個数を増やさなくても済み、全体としてのサーボ再生用ヘッドの数を抑制することができる。
【発明を実施するための最良の形態】
【００４６】
以下、図面を参照しながら本発明の実施の形態を説明するが、本発明は以下の実施形態例に限定されるものではない。本実施形態例では、市松模様の振幅基準サーボパターン（Amplitude Based Pattern）を使用しながら、トラックピッチが例えば1/2になってもサーボパターンを変更することなくオリジナルのトラックピッチの距離の1/2 ピッチずらしたサーボ再生用ヘッドを持つことにより、そのヘッド幅（Width-R）も狭くすることなく狭トラックピッチ化に対して十分なS/N比を確保し、サーボ制御性能を高めるようにした。
【００４７】
図１にその原理を示す。図１は、図６と同様に１つのサーボバンドに形成された複数のサーボトラックの一部を表しており、例えばトラック幅（トラックピッチ）が１０ミクロンの第１のサーボトラックと第２のサーボトラックとがテープ幅方向に交互に複数本形成されている。
【００４８】
第１のサーボトラックのテープ長手方向には、間欠的にバーストＡなるバースト信号が形成され、第１のサーボトラックに隣接する第２のサーボトラックのテープ長手方向には、間欠的にバーストＢなるバースト信号が形成されている（尚図１（ａ）では各々１個のバーストＡ、１個のバーストＢのみを図示しているが、これら各バーストＡ、Ｂはテープ長手方向に間欠的に複数個形成され、サーボパターンを形成しているものである）。
【００４９】
図１（ａ）に示す１つのサーボバンドには、２つのサーボリードヘッドＳ１，Ｓ２が、オリジナルのトラックピッチから１／２ピッチずらして配設されている。すなわちＳ１は、幅方向中間位置が第１のサーボトラックおよび第２のサーボトラックの境界線と対向するように配設されたサーボリードヘッド（第１のサーボヘッド）であり、Ｓ２は、サーボリードヘッドＳ１から、テープ幅方向に１／２ピッチずれて配設されたサーボリードヘッド（第２のサーボヘッド）である。
【００５０】
尚サーボリードヘッドＳ１，Ｓ２のテープ長手方向の間隔は、両ヘッドの再生信号が互いに干渉しない範囲に設定されている。
各サーボリードヘッドＳ１，Ｓ２がバーストＡ、Ｂから再生する信号は図１（ｂ）のとおりである。尚、前記ヘッドＳ１からテープ幅方向に１／２トラックピッチずれて配設されている前記ヘッドＳ２の再生信号は、テープが幅方向に変動した場合に図１（ｂ）のように再生されることを表している。
【００５１】
サーボリードヘッドＳ１ではオリジナルのトラックピッチセンターである図示（１）の部分（バーストＡ、Ｂの際）が、差分信号(Ａ−Ｂ)のリニアリティの良い部分にきており、問題なくサーボをかけることが可能となっている。
【００５２】
次にバーストＢの丁度真ん中が倍密度時のトラックセンターになるが、この部分はサーボリードヘッドＳ１では不感地帯を含む範囲になっており、使用できない。しかし代わりにサーボリードヘッドＳ２の図示（８）がリニアリティの良い部分となっており、こちらの信号を使用すれば問題なくサーボをかけることが可能となる。
【００５３】
以下同様にサーボリードヘッドＳ１の（３）、サーボリードヘッドＳ２の（１０）、サーボリードヘッドＳ１の（５）と交互に、使用するサーボリードヘッドを切り換えながら、リニアリティの良い部分だけを使用してサーボを高精度にかけることが可能となる。
【００５４】
図２は、１つのサーボバンドにかかるサーボリードヘッドを３個にして、1/3ピッチづつずらして配置したものである。すなわち、幅方向中間位置が第１のサーボトラックおよび第２のサーボトラックの境界線と対向するように配設されたサーボリードヘッドＳ１から、テープ幅方向一方側、例えば上側に１／３ピッチずらしてサーボリードヘッドＳ２ａ（第２のサーボヘッド）を配設し、テープ幅方向他方側、例えば下側に１／３ピッチずらしてサーボリードヘッドＳ２ｂ（第２のサーボヘッド）を配設している。
【００５５】
尚サーボリードヘッドＳ１，Ｓ２ａ，Ｓ２ｂのテープ長手方向の各間隔は、これらヘッドの再生信号が互いに干渉しない範囲に設定されている。
これら各サーボリードヘッドＳ１，Ｓ２ａ，Ｓ２ｂがバーストＡ、Ｂから再生する信号は図２（ｂ）のとおりである。尚、前記ヘッドＳ１からテープ幅方向に１／３トラックピッチずれて配設されている前記ヘッドＳ２ａ，Ｓ２ｂの再生信号は、テープが幅方向に変動した場合に図２（ｂ）のように再生されることを表している。
サーボリードヘッドＳ１ではオリジナルのトラックピッチセンターである図示（１）の部分（バーストＡ、Ｂの際）が、差分信号(Ａ−Ｂ)のリニアリティの良い部分にきており、問題なくサーボをかけることが可能となっている。
【００５６】
次にバーストＢのテープ幅方向１／３の位置がトラックセンターになるが、この部分はサーボリードヘッドＳ１，Ｓ２ａでは不感地帯（図示（２）、（７））を含む範囲になっており、使用できない。しかし代わりにサーボリードヘッドＳ２ｂの図示（１１）がリニアリティの良い部分となっており、こちらの信号を使用すれば問題なくサーボをかけることが可能となる。
【００５７】
以下同様にサーボリードヘッドＳ２ａの（８）、サーボリードヘッドＳ１の（３）、サーボリードヘッドＳ２ｂの（１３）、サーボリードヘッドＳ２ａの（１０）、サーボリードヘッドＳ１の（５）と、順次使用するサーボリードヘッドを切り換えながら、リニアリティの良い部分だけを使用してサーボを高精度にかけることが可能となる。
【００５８】
これによって、第１図のようにいきなり倍のTPI（トラックピッチ／インチ）にあげなくても、1.33倍のTPIを、サーボパターン及びサーボの信号S/Nを変えることなしに実現することが可能となる。これはTPIマイグレーションの自由度を上げられるという観点からは大変大きなメリットであり、第４世代までを視野に入れたフォーマットマイグレーションを現実的なものとすることに大きく寄与する。
【００５９】
次に、前記図１、図２では１サーボバンドのみで説明してきたが、実際にはデータヘッド群を両脇から挟み込むようにサーボヘッドが各々配される。そして両脇のサーボヘッド両方の差分信号の中間を狙ってサーボがかけられている。これは前述のようにテープが温湿度変化特性を持っており伸縮するために、前記両側の２つのサーボヘッドの中間をとることでその影響を半分にするためである。
【００６０】
前記図１、図２、図６の説明は基本的に、同じサーボリードヘッドの配列が、データバンドを挟む２つのサーボバンドにどちらにもある場合であり、理由は前述の通り、テープ幅伸縮の影響を軽減するためである。しかしテープの幅方向の伸縮の変化スピードは数十分から数時間という単位であり、数分で大きく変化することは考えにくい。とすれば前記２つのサーボバンドのサーボパターンから２つのサーボリードヘッドが同時に読み、補正をかける作業は常時行わなくても良いことになり、数分に一度補正をし直せば、十分実用的な制御が可能である。この考えをもとに発明した実施形態例を図３に示す。
【００６１】
図３においてサーボバンド#n側にサーボリードヘッドＳ１ａ，Ｓ２ｂを配し、サーボバンド#n+1(or n-1)にサーボリードヘッドＳ１ｂ，Ｓ２ａを配している。すなわち、サーボリードヘッドＳ１ａ（第１のサーボヘッド）は幅方向中間位置が、所定のデータバンドを挟む２つのサーボバンドのうち上側のサーボバンドの第１および第２のサーボトラックの境界線と対向するように配設され、サーボリードヘッドＳ１ｂ（第１のサーボヘッド）は幅方向中間位置が、所定のデータバンドを挟む２つのサーボバンドのうち下側のサーボバンドの第１および第２のサーボトラックの境界線と対向するように配設されている。
【００６２】
またサーボリードヘッドＳ２ｂ（第２のサーボヘッド）は、前記上側のサーボバンドのサーボヘッドＳ１ａから、１／３ピッチ、バーストＢ側にずらして配設され、サーボリードヘッドＳ２ａ（第２のサーボヘッド）は、前記下側のサーボバンドのサーボヘッドＳ１ｂから、１／３ピッチ、バーストＡ側にずらして配設されている。
【００６３】
尚サーボリードヘッドＳ１ａ，Ｓ２ｂ間の間隔、サーボヘッドＳ２ａ，Ｓ１ｂ間の間隔は、各ヘッドの再生信号が互いに干渉しない範囲に設定されている。
【００６４】
これら各サーボリードヘッドＳ１ａ，Ｓ１ｂ，Ｓ２ａ，Ｓ２ｂがバーストＡ，Ｂから再生する信号は図３（ｂ）のとおりであり、これは図２（ｂ）に示すサーボリードヘッドＳ１，Ｓ２ａ，Ｓ２ｂの再生信号と同様となる。
【００６５】
このため図２のサーボリードヘッドＳ１，Ｓ２ａ，Ｓ２ｂを、データバンドを挟む上、下２つのサーボバンドに各々配設して合計６個のサーボヘッド（サーボリードヘッドＳ１，Ｓ２ａ，Ｓ２ｂ）を使用する場合とでは同様のサーボ制御を行うことができることがわかる。
【００６６】
図３のポイントは、サーボリードヘッドＳ１ａとＳ１ｂが上、下のサーボバンドの同じ位置関係にあることから、前記と同様に２つのサーボリードヘッドの差信号の中間をとって、テープ幅伸縮の補正を行うことが可能でありサーボリードヘッドＳ２ａ，Ｓ２ｂが使用されている間はそれぞれ片側のみのサーボ信号によって位置制御が行われるわけだが、直近に行ったサーボリードヘッドＳ１ａ，Ｓ１ｂ時のオフセット量を使用することで、大きな（そして支配的な）テープ幅伸縮補正を行うことが可能となる。そしてサーボリードヘッドの数を６個から４個に減らすことが可能となりコスト及び信頼性的にも有利となる。この理論を適用すれば１／４ピッチの場合もサーボリードヘッドの数を極端に増やすことなく、前記同様に行うことが可能となる。
【００６７】
尚前記サーボリードヘッドＳ１，Ｓ２，Ｓ１ａ，Ｓ１ｂ，Ｓ２ａ，Ｓ２ｂは例えば図５の磁気ヘッドスタック部に配設することができ、また他の磁気ヘッド部に配設するように構成しても良い。
【図面の簡単な説明】
【００６８】
【図１】本発明の一実施形態例を表し、（ａ）は本発明のサーボヘッドとサーボパターンの配置関係を示す模式図、（ｂ）はサーボヘッドの再生信号を示す説明図。
【図２】本発明の他の実施形態例を表し、（ａ）は本発明のサーボヘッドとサーボパターンの配置関係を示す模式図、（ｂ）はサーボヘッドの再生信号を示す説明図。
【図３】本発明の他の実施形態例を表し、（ａ）は本発明のサーボヘッドとサーボパターンの配置関係を示す模式図、（ｂ）はサーボヘッドの再生信号を示す説明図。
【図４】リニアテープフォーマットで一般的に使用されているサーボバンド方式の模式図。
【図５】リニアテープドライブ装置で用いられる磁気ヘッド部の一例を示す要部正面図。
【図６】従来の振幅基準サーボ方式の一例を表し、（ａ）はサーボヘッドとサーボパターンの配置関係を示す模式図、（ｂ）はサーボヘッドの再生信号を示す説明図。
【符号の説明】
【００６９】
Ａ，Ｂ…バースト信号、ＤＢ…データバンド、ＳＢ…サーボバンド、Ｓ１，Ｓ２，Ｓ１ａ，Ｓ１ｂ，Ｓ２ａ，Ｓ２ｂ…サーボリードヘッド、Ｔ…磁気テープ。
【図４】
2006221729.tif 000003
【図５】
2006221729.tif 000004
【図１】
2006221729.tif 000005
【図２】
2006221729.tif 000006
【図３】
2006221729.tif 000007
【図６】
2006221729.tif 000008